(57)【要約】【課題】システムの種々の要素の保持および位置がシステムを使用する間に保証されるようにする。【解決手段】安全剃刀システムは、ハウジングをハンドルに接続する部材１４に対して回動可能に取り付けられた長形のハウジング１２を備える。ハウジング１２は実質的に矩形であり、かつ円弧状の端部を有する。複数のひげ剃り刃１６および保護部材２８がハウジングの上側表面から延びるとともに、環状の保持クリップ２０がハウジングの周辺部に配置され、ハウジング１２上にひげ剃り刃１６を保持するとともに保護部材２８に対してひげ剃り刃を位置決めする役割を果たしている。接続部材１４は、接続部材に対してハウジングが回転する間、ハウジング上の係合面と接触する４つの同軸な軸受面５８、５９、６０、６１によってハウジングを回動可能に支持する。【選択図】図８
2006223888.tif 000002
【特許請求の範囲】
【請求項１】
長手方向を有したハウジング部材であって、当該ハウジングの長手方向に延びると共に当該ハウジングの上側表面から上方に延びる、当該ハウジング上に配置された少なくとも１つのひげ剃り刃を有するハウジング部材と；
前記ハウジングにおける各端部の下側表面に隣接して配置される一対の空洞を形成する、前記ハウジング上に形成された壁構造と；
前記ハウジングとひげ剃りハンドルとの間に揺動接続をなすように構成された相互接続部分と；
を備え
前記相互接続部分は、
前記ハウジングの長手方向に沿って外側に延びる一対の対向アームをその両側に有した一体構造本体と；
前記ハウジングと接触するために前記相互接続本体部材の両側に配置された、互いに対向して同軸な一対の第１および第２の軸受面と；
を有し、
各第１の軸受面は各アーム上に配置されるとともに各空洞内に受容され、各第２軸受面は前記第１の軸受面同士の間で前記本体上に配置されるとともに前記第１の軸受面が向く方向とは反対方向を向いており、
各第１の軸受面は前記壁構造の一部と接触するように配置され、各第２軸受面は前記ハウジングの下側表面と接触するように配置されている、ことを特徴とするひげ剃りユニット。
【請求項２】
各第２軸受面は、前記第１軸受面より大きい領域であることを特徴とする請求項１に記載のひげ剃りユニット。
【請求項３】
各第１軸受面は、完全に各空洞内にあることを特徴とする請求項１に記載のひげ剃りユニット。
【請求項４】
各第２軸受面は、完全に前記空洞の外にあることを特徴とする請求項１に記載のひげ剃りユニット。
【請求項５】
前記相互接続部材の本体は、そのたわみによって前記アームの一方が他方に向かう動きを容易にする、前記アーム間に形成された少なくとも１つの溝を有することを特徴とする請求項１に記載のひげ剃りユニット。
【請求項６】
前記相互接続部分の本体は、ひげ剃りハンドルを取り付けるためのハンドル接続構造を有し、
それによって前記ひげ剃りユニットは分離可能なカートリッジとして構成されることを特徴とする請求項１に記載のひげ剃りユニット。
【請求項７】
前記ハウジングは、実質的にその平面形状が円弧状の端部を有した矩形であることを特徴とする請求項１に記載のひげ剃りユニット。
【請求項８】
前記少なくとも１つのひげ剃り刃は、それぞれ前記ハウジングの長手方向に延びる、隙間を開けて配設された複数のひげ剃り刃を有することを特徴とする請求項１に記載のひげ剃りユニット。
【請求項９】
前記複数のひげ剃り刃は、総計で３枚であることを特徴とする請求項８に記載のひげ剃りユニット。
【請求項１０】
前記ハウジングは、前記ハウジングの周辺部に配置されて上方に開口する溝を形成する上方に延びるリップを有し、
かつ前記ハウジングの上側表面上の前記溝の内側に配置されるとともに前記少なくとも１つのひげ剃り刃の両端と接触する保持部材をさらに備える、
ことを特徴とする請求項１に記載のひげ剃りユニット。
【請求項１１】
前記ハウジングの上側表面上に配置されて各複数のひげ剃り刃の対向端部と接触する保持部材をさらに備え、
かつ前記保持部材は、その内側に形成された一対の基準表面を有し、
各基準表面は前記複数のひげ剃り刃の各端部と接触する下向きの平らな表面を有していることを特徴とする請求項８に記載のひげ剃りユニット。
【請求項１２】
前記ハウジング上に配置された保護棒をさらに備え、
前記保護棒は、前記ハウジングの長手方向に延びるとともに前記複数のひげ剃り刃に対して隙間を開けてかつ平行に上方に向かって突出することを特徴とする請求項８に記載のひげ剃りユニット。
【請求項１３】
各複数のひげ剃り刃は、前記保持部材に向かって弾性的に付勢されることを特徴とする請求項８に記載のひげ剃りユニット。
【請求項１４】
前記ハウジングの上側表面上の周辺部に配置されて前記少なくとも１つのひげ剃り刃の両端と接触する保持部材と；
前記保持部材上に配置され、前記ハウジング部材の嵌合部分に取り付けられるように構成されて前記ハウジングに対する前記保持部材の上方への動きを制限し、それによって前記ひげ剃り刃のにおける各切刃の上方への動きが前記保持部材との接触によって制限されるように構成されたラッチ部材と；
をさらに備えたことを特徴とする請求項１に記載のひげ剃りユニット。
【請求項１５】
前記保持上の前記ラッチは複数のタブ要素を有し、
前記ハウジングの前記嵌合部分は複数の溝を有し、
前記保持部材を前記ハウジングに対して位置決めしかつ支持するために前記タブが前記溝内に噛み合うことを特徴とする請求項１４に記載のひげ剃りユニット。
【請求項１６】
前記保持部材は、薄板金属材料から形成されることを特徴とする請求項１に記載のひげ剃りユニット。
【請求項１７】
前記複数のひげ剃り刃はステンレス鋼であり、かつ前記保持はアルミニウムから成ることを特徴とする請求項８に記載のひげ剃りユニット。
【請求項１８】
一対のエラストマ表面をさらに備え、
ひげ剃り動作の間に肌を引っ張るためにその１つが前記複数のひげ剃り刃のいずれかの側に配置されることを特徴とする請求項１に記載のひげ剃りユニット。
【発明の詳細な説明】
【技術分野】
【０００１】
本発明は安全かみそりシステムに関し、より詳しくは、複数のひげ剃り刃を含むハウジングを揺動接続を用いてひげ剃りハンドル上に接続するために交換可能なカートリッジが提供されるひげ剃りシステムに関する。
【背景技術】
【０００２】
複数のひげ剃り刃をその中に含むハウジングを交換可能なカートリッジが有するとともに、それらのひげ剃り刃がハウジングに対して弾性的に取り付けられてひげ剃り動作の間に肌の輪郭に応じて撓むようになったひげ剃りシステムは良く知られている。また、交換可能なカートリッジを生み出すために、相互接続係合によって取り外し可能なハンドルを受容する構造を有したコネクタ部材を用いることにより、刃支持ハウジングをひげ剃りハンドルに対して回動可能に取り付けることも公知である。
【０００３】
上記の特徴を用いた構造の設計および製作は、特許文献１および米国特許出願第０８／８０２３８１号明細書に示されかつ記載されているが、それらは本発明の権利譲受人に譲渡されており、かつこの参照によって本願明細書に組み込まれる。
【０００４】
ひげ剃り支持ハウジングの一般的に受け入れられている矩形形状が放棄されるとともに、ユーザの脚若しくはわきの下に用いるためにより容易に構成された実質的に楕円形状に形成された構造によって置き換えられた、特に女性が使用するためのひげ剃りシステムもまた提案されている。加えて、ひげ剃り動作の間に肌を引張るとともに肌に塗布されるなめらかなひげ剃り製剤を捕らえる役割を果たす上方へ突出したカップ表面を有した、弾性材料から製造される肌接触表面を、長形のハウジング部材に配置した複数の平行なひげ剃り刃のいずれかの側に設けることも提案されている。上記の特徴は、本発明の権利譲受人に譲渡された特許文献２に示されかつ記載されているが、それらはこの参照によって本願明細書に組み込まれる。
【特許文献１】国際公開第９７／３７８１９号パンフレット
【特許文献２】国際公開第９７／１７１７４号パンフレット
【発明の開示】
【発明が解決しようとする課題】
【０００５】
上に列挙された全ての特徴は、通常状態で使われるときには、従来品を大幅に改良したひげ剃りシステムを生み出すために効果的である。しかしながら、例えばシャワーのタイル床上に繰り返して落下させるとか、いくつかの例においては旅行のときにひげ剃りシステムを持ち歩く間に、ひげ剃りシステムは例外的な乱用にさらされるということが多くの例において見出された。これらの状態下では、ひげ剃り刃の切刃が、お互いに若しくは切刃の前方に設けた保護棒に対してわずかに非整列状態となり、または上述したように揺動相互接続部材を用いるときには、ひげ剃り刃を含んでいるハウジングと相互接続部材とが非整列状態となる。これらの状態は、ユーザが安全かみそりシステムに期待するひげ剃り動作の容易さおよび快適さに対して影響を及ぼす。
【０００６】
したがって、本発明の目的は、隣接する切刃に平行な保護部材を有したひげ剃り刃支持ハウジングを備えるとともに、保護部材の表面に対する切刃の設計位置がひげ剃りシステムの有効寿命の間に維持されるひげ剃りシステムを提供することにある。
【０００７】
本発明の更なる目的は、システムの種々の要素の保持および位置がシステムを使用する間に保証される、上述したタイプのひげ剃りシステムを提供することにある。
【０００８】
本発明のさらに他の目的は、ばね付勢された複数の平行なひげ剃り刃を有するとともに、付勢方向におけるひげ剃り刃の動き限度に対する改良された制御をもたらすひげ剃りシステムを提供することにある。
【０００９】
本発明の別の目的は、システム内の複数のひげ剃り刃を保持するとともに、ひげ剃り刃同士の、かつひげ剃り刃と平行に配置された保護表面に対する切刃の整列を維持するために効果的な一体構造部材を備えるひげ剃りシステムを提供することにある。
【００１０】
本発明のさらに他の目的は、ひげ剃り刃を支持するハウジング部材と、このハウジングをひげ剃りハンドルに対して回動可能に取り付けるための相互接続部材とを備え、相互接続部材は、構造が単純でかつひげ剃り刃支持ハウジングに対する取り付けの容易さをもたらす安全剃刀システムを提供することである。
【課題を解決するための手段】
【００１１】
上記の目的、および説明が進むにつれて明らかになる他の目的は、長手方向におよびハウジングの上側表面から上方に延びる少なくとも１つのひげ剃り刃を有したハウジングを備える安全剃刀システムを提供することによって達成される。一体構造の保持部材がハウジングの上側表面上の周辺部に配置され、ひげ剃り刃の対向端部と接触する。保持およびハウジングは、ハウジングに対する一体構造保持部材の上方への動きを支持する相互係合のための係止構造をさらに有し、それによってひげ剃り刃の上方への動きは一体構造保持部材との接触によって制限される。
【００１２】
ハウジングは平面形状が、実質的に矩形状であり、かつ円弧状の端部を有している。ひげ剃り刃手段は、複数のひげ剃り刃、例えば総計で３枚のひげ剃り刃を有し、かつこれらのひげ剃り刃は保持部材にむかって弾性的に付勢される。
【００１３】
保護棒は、ハウジングの上側表面に対して一般的に取り付けられ、好ましくは堅固に取り付けられ、かつハウジングの長手方向に延びるとともに複数のひげ剃り刃に対して隙間を開けてかつ互いに平行に上方へ突出する。複数のひげ剃り刃は一般的にステンレス鋼から製造され、かつひげ剃り刃の腐食を妨げるために保持部材はアルミニウム材料から製造される。
【００１４】
本発明の更なる特徴として、安全剃刀システムは、ハウジングの各端部の下側表面に隣接して配置される一対の空洞を形成するための壁構造と、ハウジングに取り付けられるひげ剃りハンドル上にハウジングを回動可能に接続するための相互接続部材とを備える。相互接続部材は、ひげ剃りユニットが使い捨てひげ剃りの一部として供給されるときには、ひげ剃りハンドルと一体に形成されるが、交換可能なひげ剃りシステムにおいてはハウジングおよび相互接続部材を新しい物と交換できるように、好ましくは分離可能に形成される。相互接続部材は一般的に、ハウジング長手方向において外側に延びるとともにハウジング上の各空洞内に受容される一対のアームを各側部に有した一体構造本体から成る。ハウジングと接触するために、互いに対向して同軸な一対の第１および第２の軸受面が相互接続部材の各側部に配置される。
【００１５】
第１の軸受面は、それぞれ各アーム上に配置されるとともに各空洞内に受容され、かつ第２の軸受面は、それぞれ第１の軸受面間において一体構造本体上に配置される。第１の軸受面は、それぞれ空洞壁構造の一部と接触するように配置され、かつ第２軸受面は、それぞれハウジングの下側表面と接触するように配置される。第２の軸受面はそれぞれ、一般的に第１の軸受面より大きな領域である。第１の軸受面はそれぞれ完全に各空洞内にあるのに対して、第２軸受面はハウジング空洞の完全に外にある。
【発明を実施するための最良の形態】
【００１６】
本発明の例示的な実施形態が示されている添付の図面を参照すると、その新しい特徴および利点が明らかとなる。
【００１７】
図面、特に図１乃至図４を参照すると、そこには長形の（長手方向を有した）ハウジング１２と相互接続部材１４とを備えた安全かみそりシステム１０が示されている。ハウジングには複数の、総計で３枚のひげ剃り刃１６と、キャップ位置にあるひげ剃り刃の後方において長形のハウジング上にひげ剃り刃と平行に取り付けられたひげ剃り補助ストリップ１８とを備えている。一体構造の環状保持クリップ２０が、組立て位置にあるひげ剃り刃１６の端部と接触しつつ、組立体のハウジング１２の周辺部に設けられている。
【００１８】
図１乃至図４、特に図１を参照すると、ハウジング１２は、比較的堅い非エラストマ熱可塑性材料、例えばＧＥプラスチックから入手可能なＮｏｒｙｌ  ＰＸ―５５１１の商品名で販売されている材料から形成され、エラストマ材料製の一対の肌引張り部分（キャップ表面とも呼ばれる）２２および２３が適切に接着されるが、それらはハウジング１２の基礎部分と共に同時成形（２材料射出成形とも呼ばれる）され、若しくはハウジング１２に適切に接着されるエラストマ熱可塑性樹脂、例えばＫｒａｉｂｕｒｇ  Ｃｏｍｐａｎｙ（ドイツ）から入手可能なＫｒａｉｂｕｒｇ  ＰＣ ５ＧＩＬの商品名で販売されている材料から形成することもできる。肌引張り部分は、米国特許第５，２４９，３６１号に詳細に記載されているようにエラストマ材料からモールド形成することもできるが、このことはこの参照によって本願明細書に組み込まれる。肌引張り部分２２および２３は、ひげ剃り作業の間に肌上に引張り力を作用させると同時にひげ剃り刃の両側で肌を引張るために効果的である。肌引張り部分は、そこに形成されたカップ形の開口２５を有し、ウェットシェービングの間にその大きな表面全体で水およびひげ剃りジェルを保持して分配するのに効果的である。
【００１９】
ハウジング１２は、弓形の端部を有した実質的に矩形の平面形状を有するとともに、ひげ剃りシステム１０を組み立てた状態においてひげ剃り刃１６の端部を受け入れるための溝２４が各端部の内側に設けられている。ひげ剃り刃１６は従来技術において周知であるようにステンレス鋼材料から製造されるとともに、溝２４内に受け入れられるとハウジング１２上に形成された複数のばね付勢要素２６によって上方に付勢される
【００２０】
保護部材２８は、３枚のひげ剃り刃１６および肌引張り部分２３と平行にかつ隣接して延びているが、この保護部材２８は、必ずということではないが、好ましくはハウジング１２の一部として形成され、若しくはハウジングとは異なる特徴を有したプラスチックからハウジング１２と一体成形され、またはハウジングに堅固に固定される別要素とすることができる。保護部材２８はまた、米国特許第５，０６３，６６７号（Ｊａｃｏｂｓｏｎ）に記載されているようにハウジング１２に対して可動の保護部材を備えることができ、または米国特許第５，１９１，７１２号（Ｃｒｏｏｋ）若しくは第５，６６１，９０７号（Ａｐｐｒｉｌｌｅ）に示されるタイプの弾力性を有した保護部分を備えることができるが、これらはこの参照によって本願明細書に組み込まれる。
【００２１】
ひげ剃り援助ストリップ１８は、キャップ領域に配置される、米国特許第５，１１３，５８５号および第５，４５４，１６４号に記載されているように疎水性材料と水浸透性の親水性ポリマー材料との混合物から成るタイプのストリップ状の部材であるが、これらはこの参照によって本願明細書に組み込まれる。ひげ剃り援助ストリップ１８は、ハウジング１２の溝２９内に受容されるとともに、ひげ剃り刃１６および保護部材２８と平行に配置される。ひげ剃り援助ストリップ１８は、溝２９との締りばめによって保持され、または接着剤若しくは機械的な手段によって固定される。
【００２２】
保持クリップ２０は、図１２に詳細に示されているが、一般的にコーティングを有したアルミニウム材料から製造されるとともに、その平面形状は弓形の端部を有した矩形状である長形のハウジング１２と同じである。好ましくは、コーティングは外側表面にあり、ひげ剃り刃に対する電食を防止するためにクリップ２０の下面はコーティングされない。コーティングは、ポリエステル、エポキシ若しくは二層ビニルおよびポリエステルシステムのような材料から形成されるポリマーコーティングであることが好ましい。コーティングはまた、陽極処理が施されたコーティングとすることができる。保持クリップ２０が肌と接触する上側および側面上でハウジングを囲むので、コーティングは低摩擦特性を呈することが望ましい。図１２に示されるように、保持クリップ２０は、例えばコイニングによってその下側縁部３０に形成された４つの基準表面２７を有するとともに、長形のハウジング１２がその周辺部のリップ３２上に形成されている溝３１内に設けられた４つの嵌合基準表面３３を有している。組立て状態では、下側縁部３０が溝３１内に受け入れられ、基準表面２７および３３は所定の平面に沿って嵌合するように接触する。一対のタブ３４は、後述されるように各基準表面２７が対応する各基準表面３３と接触する状態に維持するための係止システムを提供するが、一対の開口３６を介して下方に延びるとともに、保持リングをハウジング１２上に組付けるために、互いに向かい合って、ハウジング１２の下部に対して内側に曲げられている。カートリッジが不用意に落とされてその最上面に衝撃が与えられると、保持クリップ２０は基準表面２７と溝３１内の基準表面３３との間の接触部分に単純に押し付けられ、負荷はハウジング１２に分散される。したがって、負荷がタブ３４に伝達されないので、タブ３４は比較的小さくてすむ。
【００２３】
図５および図６に強調されるように、肌引張り部分２２および２３におけるハウジングの上側表面および保持クリップ２０は、横断方向に弓形である。これは、特にわきの下の領域における肌に対する良好な追従性をもたらすとともに、ハウジング１２上へのより良好な固定のための剛性を保持クリップ２０に与える。
【００２４】
図５、図６および図１２に強調されるように、保持クリップ２０は、ひげ剃り刃１６の上側端部と接触する基準表面５０としての役割を果たすとともに保護部材２８に対するひげ剃り刃の上方への動きを制限する凹部を形成する、真っ直ぐにコイニング成形された部分を有している。基準表面２７および３３は、縁部３０において保持クリップ２０とハウジング１２との間の当接面を提供するとともに、凹部５０に対して平行で、かつ凹部５０との間隔が確定した平面を確立し、それによってハウジング１２および保護部材２８に対するひげ剃り刃の上方への動きの範囲を制御する。
【００２５】
相互接続部材１４は、ひげ剃りハンドル（図示せず）上へハウジング１２を接続するために用いられる互いに対向して外側に延びる一対のアーム３９および４０を有した、全般的に一体構造の本体３８を有している。相互接続部材１４は全般的に、適切な強度のために、ＧＥプラスチックから入手可能なＮｏｒｙｌ  ＰＸ―１２６５の商品名で販売されているセミリジッドなプラスチック材料から製造されるとともに、本体３８の上側部分に形成された一対のＶ字状の溝開口４２および４４を有している。溝開口は、製造時に相互接続部材をハウジング上に組み付ける際に、アーム３９および４０がハウジング１２内に受け入れられ、その後取り外しを意図しない永久的な接続を形成する範囲において、アーム３９および４０が相手側へ動くことを許容する構造に形成されている。
【００２６】
相互接続部材１４の下側ハンドル受容部分は、安全かみそりシステム１０の使用に応じて種々の形を取ることができる。すなわち、ひげ剃りシステムが取換可能なカートリッジとして用いられるときには、本体の構造には図示の構造が与えられ、例えばＰＣＴ特許出願ＷＯ９７／３７８１９、若しくは出願中の米国シリアルＮｏ．０８／８０２３８１号に記載されているように、ひげ剃りハンドルを受け入れるように形成される。なお、これらはこの参照によってそれぞれ本願明細書に組み込まれる。しかしながら、ひげ剃りシステム１０には、例えば本体３８上に堅固に取付けられ、若しくはこのシステムが使い捨て可能なひげ剃りに用いられるときにはハンドルと一体構造の、異なるタイプのハンドルを用いることができる。しかしながら、安全かみそりシステム１０のいかなる使用においても、ひげ剃り動作の間にハウジングと相互接続部材との間に揺動動きがもたらされるように、ハウジング１２は相互接続部材１４上に支持されるということが理解されなければならない。ハンドル上に取り付けられるとともに相互接続部材１４を通って延びるばねは、ＷＯ９７／３７８１９に記載されているように、揺動動きを助ける戻り方向の付勢力を供給する。
【００２７】
本発明の安全かみそりシステム１０の設計においては、複数のひげ剃り刃１６が、ひげ剃り動作の間、一方が他方に対して相対的にそれらの切刃を適切な定位置に維持されるとともに、保護部材２８に対し設計限界を超えて上方に延びないようにその上方への動きが制限されることが必要である。保護部材２８に対してひげ剃り刃１６を適切な位置に維持することは、その有効な寿命時間におけるひげ剃りシステムの構造の完全性および動作を保証するために重要である。
【００２８】
上述したように、基準表面５０を適切な所定位置に維持するために、各基準表面２７および各基準表面３３間の接触の維持を確実なものとする係止構造が設けられている。
【００２９】
図１乃至図４と共に、図５、図６および図１２に示されるように、ハウジング１２に対するタブ３４の係合に加え、係止システムは、上方へ向いた表面４７を有して内側に延びるとともに保持クリップの縁部３０に対して左右対称に隙間を開けて配置されている、４つのコイニングされた係止部分４６（それらのうちの２つが図６および１２に示されている）を保持クリップ２０に設けている。下方へ向いた４つの係合表面４８が、図１、図４および図５に示されるように、ハウジング１２の溝３１の内壁に形成されている。保持クリップ２０は、ハウジング１２上へ取り付けられると、縁部３０の内側に延びる係合部分４６が溝３１の内壁の内側に延び、表面４７および表面４８がぱちんとはまって接触するように構成されている。クリップ２０がハウジング１２から分離することを防止するように係合表面４７、４８が寄与しているので、溝３６内に曲げられるタブ３４は、したがって、比較的小さく形成することができる。
【００３０】
本発明の係止システムは、示されるように、ハウジング１２の底面と嵌合するタブ３４および係合表面４７，４８の両方を含む係止要素を用いているが、このシステムの一部だけが必要と思われるときには、上述のように組立てられている一対のタブ３４のみを利用することにより、もっと単純な係止システムを用い得ると理解されなければならない。すなわち、基準表面２７および３３を連続接触状態に維持するためにタブ３４のみが必要であるときには、係止部分４６を保持クリップ２０から取り除くとともに係合表面４７および４８をハウジング１２から取り除くことができる。
【００３１】
ここで図３および図７乃至図１１を参照すると、ハウジング１２の底面が、図３に示されるように、その上に形成された一対のボス５２，５３を有するとともに、アーム３９および４０を受け入れるための一対の空洞５５，５６がハウジングの壁構造内に形成されている。図８に最も良く示されるように、上述したように可撓性のプラスチック材料の選択と組み合わせられる溝４２および４４は、製造する間に一度だけ、アーム３９，４０が互いの方に向けて内側に圧縮されて各空洞５５，５６内に挿入されるとともに圧縮が解放されて図８に示した状態を取ることにより、相互接続部材１４がハウジング１２上に組み付けられる際の容易な組立をもたらす。このことは、組立ユニットとしてしっかりと保持される回動可能に相互接続された部材の組み立ておよび保持と、その後にひげ剃り刃が挿入されて保持クリップ２０により保持されることを許容する。
【００３２】
しかしながら、この単純な組立形態は、アーム３９，４０が比較的小さいことを必要とし、したがって、図８と共に図９および図１０に最も良く示されるように、空洞５５，５６内に大きな軸受面を設けることを妨げる。ひげ剃り動作の間およびひげ剃りシステム１０を硬い表面の上に落とした場合のいずれにおいても、ハウジング１２を相互接続部材１４から引き離す上向きの力は一般的に小さいので、本発明の構造においては、全体的に空洞５５若しくは５６の中にあって上向きの力だけを吸収する一対の同軸な第１の軸受面５８，５９、および空洞の外側にあってより大きな下向きの力若しくは圧縮力を吸収する第２の軸受面６０，６１を、相互接続部材１４の両側に提供する。すなわち、ひげ剃り動作の間に生じる、若しくはひげ剃りシステム１０を落としたことによって生じる大きな力は、空洞５５，５６内にあることに起因して必然的により小さいものとなる軸受面５８，５９ほどには表面領域が制限されないより大きな軸受面６０，６１によって吸収される。相互接続部材１４上では、第１の軸受面５９が下方を向き、かつ第２の支持表面６１が上方を向いている。
【００３３】
図１１に示されるように、軸受５８、５９、６０および６１の構造上の位置によって、上述したように、長形のハウジング１２は実質的に保護部材２８の近くに配置されている仮想軸の回りで回転自在である。この仮想揺動軸が、切断力が加えられない無負荷状態において認められるように、主要なひげ剃り刃における切刃の前にあり、かつ先導するひげ剃り刃および後に続くひげ剃り刃に接する平面の近傍若しくは下方にあることは、目下のところ好適である。
【００３４】
上記により、ひげ剃りシステム１０は、製造および組立てが単純であるとともに、ひげ剃り刃１６を取付不良とする傾向を有し若しくはハウジング１２からの相互接続部材の脱落を生じさせる不注意による落下若しくは不幸な出来事の厳しさに耐える構造を備えることが明らかである。上述したように係止システムを設けることによって、保持リング２０は、基準表面２７、３３および５０同士の接触によりひげ剃り刃１６が保護部材２８に対して適切な位置に保持されるように、リップ３２内に固定される。保持リング２０の構造において弧状の端部を有する単一部材を用いたことは、その構造に剛性をもたらす役割を果たしている。さらに、アルミニウム材料から製造される保持クリップ２０を設けることは、ステンレス鋼刃と組み合わせられたときに犠牲金属源を供給し、したがって鋼製のひげ剃り刃の腐食を防止する。クリップ２０の上側露出表面は、美観のための望ましい表面特性を与えるようにコーティングし、若しくは低摩擦コーティングによってコーティングすることができる。
【００３５】
保持クリップ２０の使用は、相互接続部材に対するひげ剃り刃ハウジング１２のより強化された耐久性を有する接続をもたらし、それによってこの組立体は一体に接続され、かつ落下させたときのように分離に対して抵抗する。保持クリップ２０はひげ剃り刃ハウジングに部品を不変に固定することに専念し、かつ相互接続部材上のアームは衝撃荷重による分離に抵抗する内側および外側の二組の軸受面を備えるべく強化される。
【００３６】
さらに、ハウジング１２に対する相互接続部材１４の組立が簡単な構造であり、かつ同軸な軸受面の配置は過激な使用の間にも構造の完全性を維持することができる一対の接続部材を生じさせる。保持クリップ２０は回動可能に相互接続する部材１４をひげ剃り刃ハウジング１２に固定せず、比較的大きいカートリッジの不用意な落下による負荷を吸収するために軸受領域をより大きく形成することができる。
【図面の簡単な説明】
【００３７】
【図１】本発明の教示に従って構成される安全かみそりシステムを示す分解斜視図。
【図２】安全かみそりシステムを組立てた状態で示す平面図。
【図３】図１および２の組み立て構造を、その可動要素を図２に示される位置とは異なる位置に配置した状態で示す底面図。
【図４】上記組立て構造に見られるように、互いに接続された図１の一対の要素を示す平面図。
【図５】図１乃至図３に示す組立構造の詳細を示す、図２中のＶ―Ｖ線に沿った縦断面図。
【図６】図１２中のＶＩ―ＶＩ線に沿った、明瞭さのために拡大して示される断面図。
【図７】図１乃至図３に示した構造の一要素の詳細を示す底面図。
【図８】図１乃至図３の組立構造をより詳細に示す、図４中のＶIII―ＶIII線に沿った側方断面図。
【図９】図１乃至図３の組立構造の一部を拡大して詳細に示す、図８中のＩＸ―ＩＸ線に沿った部分断面図。
【図１０】図１乃至図３の組立構造の他の部分を拡大して示す、図８中のＸ―Ｘ線に沿った部分断面図。
【図１１】ひげ剃り作業で使用する間における組立体の要素の相対動きを示す、図１乃至図３の組立構造の側面図。
【図１２】図１乃至図３の組立構造において用いられる一体構造の環状保持クリップの詳細を示す底面図。
【図１】
2006223888.tif 000003
【図２】
2006223888.tif 000004
【図３】
2006223888.tif 000005
【図４】
2006223888.tif 000006
【図５】
2006223888.tif 000007
【図６】
2006223888.tif 000008
【図７】
2006223888.tif 000009
【図８】
2006223888.tif 000010
【図９】
2006223888.tif 000011
【図１０】
2006223888.tif 000012
【図１１】
2006223888.tif 000013
【図１２】
2006223888.tif 000014